(57)【要約】      （修正有）【課題】必要時には、上記保持片により上記袋部の折り畳み状態を保持させることにより袋部を変形して使用することでき、未使用時においても、嵩張らずに、かつ、取手を把持することにより容易に搬送することができるバッグを提供する。【解決手段】側面部１１と底面部１２と、上記側面部１１の上端に形成された開口部１３とを有し、折り畳み可能に形成された袋部１４を備えたバッグ１０であって、上記側面部１１の上端には、上記バッグ１０の持ち運び時に把持しうるように形成された取手１５ａ，１５ｂが形成され、上記側面部１１の上端には上記袋部１４の折り畳み状態を保持しうる保持片１６が設けられ、必要時には、上記袋部１４を高さ方向に沿って折り畳み、上記保持片１６により上記折り畳み状態を保持し、上記取手１５ａ，１５ｂを把持して保持しうる。【選択図】図４
0003117304.tif 000002
【実用新案登録請求の範囲】
【請求項１】
側面部と底面部と、上記側面部の上端に形成された開口部とを有し、折り畳み可能に形成された袋部を備えたバッグであって、
上記側面部の上端には、上記バッグの持ち運び時に把持しうるように形成された取手が形成され、
上記側面部の上端には上記袋部の折り畳み状態を保持しうる保持片が設けられ、
必要時には、上記袋部を高さ方向に沿って折り畳み、上記保持片により上記折り畳み状態を保持し、
上記取手を把持して保持しうるように形成されていることを特徴とするバッグ。
【請求項２】
上記側面部は、２枚の側面構成材により構成され、
上記各側面構成材は、幅方向両端部が高さ方向に沿って接合され、
上記取手は、上記各側面構成材の上端において互いに相対して設けられ、
上記保持片は、上記側面構成材のうち、一の側面構成材の上端の幅方向に沿って設けられ、
上記保持片には、上記側面構成材のうち、保持片が設けられていない他の側面構成材に形成されている取手を取出しうるように形成されたスリットが形成され、
折り畳み時においては、上記スリットから、上記他の側面構成材に形成されている取手を取出すことにより、２本の取手を把持しうるように形成されていることを特徴とする請求項１記載のバッグ。
【請求項３】
上記保持片は方形状に形成され、
上記保持片のうち、一の側辺は上記一の側面構成材の上端の幅方向に沿って設けられ、
上記一の側辺と対向する他の側辺には、上記一の側辺に設けられている一の係合部に係合しうるように形成された他の係合部が設けられ、
必要時には、上記袋部を折り畳んで、上記保持片により上記袋部を内方に包むことにより袋部を変形させ、上記係合部同士を係合させることにより、上記折り畳み状態を保持しうるように形成されたことを特徴とする請求項２記載のバッグ。
【請求項４】
折り畳み時においては、上記側面構成材を幅方向内方に折り畳むことにより、折り畳まれた上記側面構成材の幅寸法を上記保持片の幅寸法に合わせ、
上記保持片により上記袋部の折り畳み状態を保持して、上記袋部を全体円筒形状に変形しうるように形成されていることを特徴とする請求項３記載のバッグ。
【請求項５】
使用時においては、上記保持片は、上記袋部の内方に配置しうるように形成され、
折り畳み時においては、上記袋部から取出し、上記袋部の折り畳み状態を保持することにより、上記袋部を変形しうるように形成されていることを特徴とする請求項１乃至４記載のバッグ。
【請求項６】
上記保持片には、ポケット部が設けられていることを特徴とする請求項１乃至５記載のバッグ。
【考案の詳細な説明】
【技術分野】
【０００１】
本考案は、取手が設けられ、折り畳み可能に形成された袋部を備えたバッグに係り、特に袋部を折り畳んだ状態を保持しうる保持片を有し、必要時にあっては、上記保持片により上記袋部の折り畳み状態を保持させることにより袋部を変形させることができ、かつ上記袋部を変形させた後においても、上記取手により、上記袋部を搬送することができるバッグに関する。
【背景技術】
【０００２】
従来、スーパーマーケット等において買い物をした場合にあっては、商品等をビニール袋に入れて手渡されるのが通例であるが、上記商品等を家などに持ち帰った後においては、上記ビニール袋は廃棄されるため、無駄となり、地球環境の悪化に加担する結果となっていた。
【０００３】
しかし、別途バッグを持参するとなると、大きな状態のバッグを持ち歩くのは携帯性に欠けるとともに美観を損ねることとなっていた。
係る欠点を克服するために、従来から、使用する者の好みに応じて異なった容量及び形状に変形使用することのできるバッグが使用されている（特許文献１、特許文献２、特許文献３）。
【０００４】
また、底面部の周囲にファスナーを設け、上記底面部により二つ折りにして小型化可能に形成されたバッグ等が使用されている（特許文献４、特許文献５、特許文献６）。
【特許文献１】実開昭４８−７４１３号
【特許文献２】実開昭６０−４２１１７号
【特許文献３】実開昭４８−８６００５号
【特許文献４】実開平０４−７７３１８号
【特許文献５】実登３０９１５９４号
【特許文献６】実開昭５８−１２９８１８号
【考案の開示】
【考案が解決しようとする課題】
【０００５】
上記特許文献１において、上記バッグは、使用をする者の好みに応じて、袋本体部の側面部に設けられている紐を締め付けることにより、円形底面を形成して袋の容量を小さくすることができるように形成されている。
【０００６】
上記特許文献２において、上記バッグは、袋本体の大きさを変えるようにしたものであり、袋物を小さくする場合、本体状部を折り下げて中に入れて、紐を引くことにより、管状が閉じて口まわりが閉じることにより、袋本体の大きさを変えることができるように形成されている。
【０００７】
上記特許文献３において、上記バッグは、形と大きさを同時に変えて使うことのできる手提げ袋であり、袋本体に設けられた２本の締め紐を両端から引っ張ることにより、巾着型の小さい手さげ袋にすることができるように形成されている。
【０００８】
したがって、特許文献１〜３にかかる上記バッグは、袋の容量を若干小さくすることができるように形成されているものであり、未だバッグとしての形態を有しているため、形態の変化が乏しく、形態の変化に対する趣向性に欠ける。
また、上記バッグは、完全に折り畳まれて収納状態となるものではないことから、未使用時においては嵩張り、持ち運びに不便であった。
【０００９】
上記特許文献４にかかるバッグにあっては、使用しない時は、胴部を折り畳み底面部を二つ折りにすることにより挟み込み、ファスナーを閉じることにより小型化し、使用する時は、ファスナーを開き胴部を引き出すことにより巾着袋として用いることができるものである。
【００１０】
上記特許文献５にかかるバッグにあっては、使用しないときは、バッグ本体を小さく折り畳んで、底板兼用ケース部材の上にまとめてから、底板兼用ケース部材を二つ折りにしてスライドファスナーを閉めることにより、コンパクトなポーチ形状にすることができるものである。
【００１１】
上記特許文献６にかかるバッグにあっては、使用しないときは、補助収納部内に袋物本体を押し込みつつ、上記補助収納部の壁面を表裏反転することによってセカンドバッグとして用いたりすることができるものである。
【００１２】
したがって、上記特許文献４〜６にかかる上記バッグを小型化する際、及び使用の際にはファスナーを開閉することにより胴部の挟み込み、及び引き出しを行うものであるため、上記バッグの小型化に際しては上記胴部をきちんと折り畳まなければ、軟質素材からなる胴部が上記ファスナーに引っかかるため、バッグの収納に際し不便であった。
【００１３】
また、上記特許文献４にかかるバッグの折り畳み時における形態は、半円形状に形成され、上記特許文献５、６にかかるバッグの折り畳み時における形態は、直方体形状に形成されているため、上記バッグの折り畳み後における形態の変化に対する趣向性に欠け、需要者の購買意欲を惹起するに至らなかった。
また、上記バッグを折り畳んだ状態においては、取手も内方に収納されてしまうため、上記折り畳み後におけるバッグを携帯するに際しては、小脇に抱えたり、別途収納袋に収納させたりする必要があるため、携帯に不便であった。
【００１４】
そこで本考案が解決しようとする課題は、取手を備え、袋部を折り畳んだ状態を保持しうる保持片を有し、必要時には、上記保持片により上記袋部の折り畳み状態を保持させることにより袋部を変形して使用することでき、未使用時においても、嵩張らずに、かつ、取手を把持することにより容易に搬送することができるバッグを提供することにある。
【課題を解決するための手段】
【００１５】
このような技術的課題解決のため、請求項１記載の考案は、側面部と底面部と、上記側面部の上端に形成された開口部とを有し、折り畳み可能に形成された袋部を備えたバッグであって、上記側面部の上端には、上記バッグの持ち運び時に把持しうるように形成された取手が形成され、上記側面部の上端には上記袋部の折り畳み状態を保持しうる保持片が設けられ、必要時には、上記袋部を高さ方向に沿って折り畳み、上記保持片により上記折り畳み状態を保持し、上記取手を把持して保持しうるように形成されていることを特徴とする。
【００１６】
従って、請求項１記載の考案にあっては、必要時には、上記袋部を高さ方向に沿って折り畳み、上記保持片により上記折り畳み状態を保持することにより、上記袋部を変形させて使用することができる。
また、上記袋部を変形させた状態においても、上記取手を把持して上記バッグを保持することができる。
【００１７】
請求項２記載の考案にあっては、上記側面部は、２枚の側面構成材により構成され、上記各側面構成材は、幅方向両端部が高さ方向に沿って接合され、上記取手は、上記各側面構成材の上端において互いに相対して設けられ、上記保持片は、上記側面構成材のうち、一の側面構成材の上端の幅方向に沿って設けられ、上記保持片には、上記側面構成材のうち、保持片が設けられていない他の側面構成材に形成されている取手を取出しうるように形成されたスリットが形成され、折り畳み時においては、上記スリットから、上記他の側面構成材に形成されている取手を取出すことにより、２本の取手を把持しうるように形成されていることを特徴とする。
【００１８】
従って、請求項２記載の考案にあっては、折り畳み時においては、上記スリットから、上記他の側面構成材に形成されている取手を取出すことにより、２本の取手を把持して上記バッグを保持することができる。
【００１９】
請求項３記載の考案にあっては、上記保持片は方形状に形成され、上記保持片のうち、一の側辺は上記一の側面構成材の上端の幅方向に沿って設けられ、上記一の側辺と対向する他の側辺には、上記一の側辺に設けられている一の係合部に係合しうるように形成された他の係合部が設けられ、必要時には、上記袋部を折り畳んで、上記保持片により上記袋部を内方に包むことにより袋部を変形させ、上記係合部同士を係合させることにより、上記折り畳み状態を保持しうるように形成されたことを特徴とする。
【００２０】
従って、請求項３記載の考案にあっては、必要時には、上記袋部を折り畳んで、上記保持片により上記袋部を内方に包むことにより袋部を変形させ、上記保持片に設けられた上記一の側辺に設けられている一の係合部と、上記他の側辺に設けられた他の係合部とを互いに係合させることにより、袋部の折り畳み状態を保持させることができる。
【００２１】
請求項４記載の考案にあっては、折り畳み時においては、上記側面構成材を幅方向内方に折り畳むことにより、折り畳まれた上記側面構成材の幅寸法を上記保持片の幅寸法に合わせ、上記保持片により上記袋部の折り畳み状態を保持して、上記袋部を全体円筒形状に変形しうるように形成されていることを特徴とする。
【００２２】
従って、請求項４記載の考案にあっては、上記側面構成材を幅方向内方に折り畳むことにより、上記側面構成材の幅寸法を上記保持片の幅寸法に合わせ、上記保持片により上記袋部の折り畳み状態を保持することがにより、上記袋部を全体円筒形状に変形させることができる。
【００２３】
請求項５記載の考案にあっては、使用時においては、上記保持片は、上記袋部の内方に配置しうるように形成され、折り畳み時においては、上記袋部から取出し、上記袋部の折り畳み状態を保持することにより、上記袋部を変形しうるように形成されていることを特徴とする。
【００２４】
従って、請求項５記載の考案にあっては、使用時にあっては、上記保持片を上記袋部の内方に配置して使用することができ、上記袋部の折り畳み時にあっては、上記袋部の折り畳み状態を保持して上記袋部を変形して使用することができるように形成されている。
【００２５】
請求項６記載の考案にあっては、上記保持片には、ポケット部が設けられていることを特徴とする。
【００２６】
従って、請求項６記載の考案にあっては、使用時にあっては、上記ポケット部を内ポケットとして使用することができ、折り畳み時においても、小物を収納することができる外ポケットとして使用することができる。
【考案の効果】
【００２７】
請求項１記載のバッグにあっては、使用時にあっては、取手を把持することにより、袋部を保持しうるように形成されたバッグとして使用することができ、必要時にあっては、上記袋部は高さ方向に沿って折り畳まれ、上記保持片により上記折り畳み状態が保持されることにより、折り畳み前におけるバッグの形態とは全く別の形態に変化させて使用することができる。
したがって、上記バッグの折り畳み後における形態の変化に趣向性を与え、需要者の購買意欲を惹起するバッグの提供を図ることができる。
また、上記袋部を変形させた後においても、上記取手を把持して袋部を保持しうるように形成されていることから、携帯に便利である。
【００２８】
請求項２記載のバッグにあっては、上記スリットから、上記他の側面構成材に形成されている取手を取出すことにより、折り畳み時においても、２本の取手を把持して上記バッグを保持することができる。
従って、１本の取手により上記バッグを把持する場合と比して、より安定して上記バッグを保持することができる。
【００２９】
請求項３記載のバッグにあっては、上記保持片に設けられた上記一の側辺に設けられている一の係合部と、上記他の側辺に設けられた他の係合部とを互いに係合させることにより、袋部の折り畳み状態を保持させることができる。
従って、上記袋部の折り畳み状態を安定して保持させることができる。
【００３０】
請求項４記載のバッグにあっては、上記側面構成材を幅方向内方に折り畳んで、上記保持片の幅寸法と合わせ、上記袋部を折り畳んでから、上記保持片により、上記折り畳み状態を保持することにより、全体円筒形状のバッグに変形させることができる。
したがって、上記バッグの折り畳み後における形態の変化に趣向性を与え、需要者の購買意欲を惹起するバッグの提供を図ることができる。
【００３１】
請求項５記載のバッグにあっては、使用時にあっては、上記保持片は袋部内方に配置して使用することができることから、使用時に邪魔にならず使用することができ、袋部の折り畳み時にあっては、上記袋部から保持片を取出して、上記バッグを変形して使用することができる。
【００３２】
請求項６記載のバッグにあっては、使用時にあっては、上記保持片を携帯電話などの小物を収納することができる内ポケットとして使用することができ、折り畳み時においても、小物を収納することができる収納袋として使用することができるバッグとして用いることができる。
【考案を実施するための最良の形態】
【００３３】
以下、添付図面に示す実施の形態に基づき、本考案にかかるバッグを説明する。
【００３４】
本実施の形態にかかるバッグ１０は、図１、図２に示すように、側面部１１と底面部１２と、上記側面部１１の上端に形成された開口部１３とを有し、折り畳み可能に形成された袋部１４を備えたバッグ１０であって、上記側面部１１の上端には、上記バッグ１０の持ち運び時に把持しうるように形成された取手１５ａ，１５ｂが形成され、上記側面部１１の上端には上記袋部１４の折り畳み状態を保持しうる保持片１６が設けられ、図３に示すように、必要時には、上記袋部１４を高さ方向に沿って折り畳み、図５に示すように、上記保持片１６により上記折り畳み状態を保持し、上記取手１５ａ，１５ｂを把持して上記袋部１４を保持しうるように形成されている。
【００３５】
図１、図２に示すように、上記側面部１１は、２枚の側面構成材１７ａ，１７ｂにより構成され、上記各側面構成材１７ａ，１７ｂは、幅方向両端部１８ａ，１８ｂが高さ方向に沿って接合され、上記取手１５ａ，１５ｂは、上記各側面構成材１７ａ，１７ｂの上端において互いに相対して設けられ、上記保持片１６は、上記側面構成材１７ａ，１７ｂのうち、一の側面構成材１７ａの上端の幅方向に沿って設けられ、上記保持片１６には、上記側面構成材１７ａ，１７ｂのうち、上記保持片１６が設けられていない他の側面構成材１７ｂに形成されている取手１５ｂを取出しうるように形成されたスリット１９が形成され、図２に示すように、折り畳み時においては、上記スリット１９から、上記他の側面構成材１７ｂに形成されている取手１５ｂを取出すことにより、図５に示すように、２本の取手１５ａ，１５ｂを把持しうるように形成されている。
【００３６】
図１、図２に示すように、上記保持片１６は方形状に形成され、上記保持片１６のうち、一の側辺２０ａは上記一の側面構成材１７ａの上端の幅方向に沿って設けられ、上記一の側辺２０ａと対向する他の側辺２０ｂには、上記一の側辺２０ａに設けられている一の係合部２１ａに係合しうるように形成された他の係合部２１ｂが設けられ、図５に示すように、必要時には、上記袋部１４を折り畳んで、上記保持片１６により上記袋部１４を内方に包むことにより袋部１４を変形させ、上記係合部２１ａ，２１ｂ同士を係合させることにより、上記折り畳み状態を保持しうるように形成されている。
【００３７】
図３に示すように、折り畳み時においては、上記側面構成材１７ａ，１７ｂを幅方向内方に折り畳むことにより、折り畳まれた上記側面構成材１７ａ，１７ｂの幅寸法Ｗ３を上記保持片１６の幅寸法Ｗ４に合わせ、図４，図５に示すように、上記保持片１６により上記袋部１４の折り畳み状態を保持して、上記袋部１４を全体円筒形状に変形しうるように形成されている。
【００３８】
図１に示すように、使用時においては、上記保持片１６は、上記袋部１４の内方に配置しうるように形成され、図２に示すように、折り畳み時においては、上記袋部１４から取出し、図５に示すように、上記袋部１４の折り畳み状態を保持することにより、上記袋部１４を変形しうるように形成されている。また、図１、図４、図５に示すように、上記保持片には、ポケット部２２が設けられている。
【実施例】
【００３９】
図１に示すように、本実施例に係るバッグ１０は、側面部１１と底面部１２とを有し、ナイロン生地など薄手の材料により折り畳み可能に形成された袋部を備えたバッグ１０であって、上記側面部１１の上端には、上記袋部１４内に収納物を出入可能に形成された開口部１３が形成され、上記開口部１３を介して収納物を収納可能に形成されている。
また、上記側面部１１の上端には、１対の取手１５ａ，１５ｂが設けられ、上記取手１５ａ，１５ｂを把持することにより上記袋部１４内に収納物を収納した状態で上記バッグ１０を持ち歩くことができる。
【００４０】
必要時にあっては、図２、図３に示すように、上記袋部１４を高さ方向に折り畳んで、図５に示すように、上記側面部１１の上端に設けられた保持片１６により、上記袋部１４の折り畳み状態を保持して、上記バッグ１０を変形して、折り畳みバッグとして使用することができる。
また、図５に示すように、上記袋部１４を折り畳んだ状態においても、上記一対の取手１５ａ，１５ｂを把持して、上記バッグ１０を携帯することができる。
【００４１】
図１、図２に示すように、上記袋部１４はナイロン生地など、薄手の生地により側面略長方形状に形成され、上記袋部１４を構成する側面部１１は、平面長方形状に形成された２枚の側面構成材１７ａ，１７ｂの幅方向両端部１８ａ，１８ｂが高さ方向に沿って縫合されて形成されている。
【００４２】
図１に示すように、上記取手１５ａ，１５ｂは略逆Ｕ字型に形成され、上記略逆Ｕ字型に形成された各取手１５ａ，１５ｂの端部は、上記各側面構成材１５ａ，１５ｂの上端周縁において縫合されて取り付けられ、上記各取手１５ａ，１５ｂは上記各側面構成材１７ａ，１７ｂの上端において互いに相対して設けられている。
【００４３】
図１、図２に示すように、上記保持片１６は、長方形状に形成され、上記側面構成材１７ａ，１７ｂのうち、一の側面構成材１７ａの上端の幅方向に沿って設けられている。
上記保持片１６には、保持片１６が設けられていない他の側面構成材１７ｂに形成されている取手１５ｂを取出しうるように形成されたスリット１９が形成され、上記スリット１９は、上記一の側面構成材１７ａの上端の幅方向に沿って設けられている。
【００４４】
図１に示すように、上記スリット１９の幅寸法Ｗ１は、上記取手１５ｂの端部間の間隔寸法Ｗ２よりも広い間隔寸法に形成されている。
従って、図２に示すように、上記スリット１９に上記取手１５ｂを挿通して、上記一の側面構成材１７ａ側に設けられている取手１５ａと、上記他の側面構成材１７ｂ側に設けられている上記取手１５ｂとを互いに重ねて、上記２本の取手１５ａ，１５ｂを把持してバッグ１０を保持することができる。
【００４５】
図２に示すように、上記保持片１６を構成する一の側辺２０ａは、上記一の側面構成材１７ａの上端の幅方向に沿って設けられ、上記一の側辺２０ａには、凸状の一の係合部２１ａが設けられ、上記一の側辺２０ａと対向する他の側辺２０ｂには、可撓性を有する細長板状に形成された舌片２３に設けられ、上記凸状の一の係合部２１ａに係合しうるように形成された凹状の他の係合部２１ｂが設けられている。
【００４６】
従って、必要時にあっては、図４に示すように、上記袋部１４を折り畳んで、上記保持片１６により上記袋部１４を内方に包むことにより袋部１４を変形させ、上記保持片１６の一の側辺２０ａに設けられている上記一の係合部２１ａと、上記他の側辺２０ｂに設けられている上記他の係合部２１ｂとを互いに係合させることにより、図５に示すように、上記袋部１４の折り畳み状態を確実に保持しうるように形成されている。
【００４７】
図１，図２に示すように、上記保持片１６は、一の側辺２０ａの幅方向端部において、上記側面構成材１７ａに縫合されている。
従って、上記縫合箇所を介して、使用時にあっては、図１に示すように、上記袋部１４の内方に配置して使用することができると共に、折り畳み時においては、図２に示すように、上記袋部１４から取出して使用することができるように、上記保持片１６を自由に動かしうるように形成され、図５に示すように、上記保持片１６により、上記袋部１４の折り畳み状態を保持して、上記袋部１４を変形しうるように形成されている。  
【００４８】
図１、図４、図５に示すように、上記保持片１６には、上記保持片１６の幅方向に沿って設けられたポケット部２２が設けられている。
従って、図１に示すように、上記保持片１６を上記袋部１４の内方に配置して使用する場合にあっては、バッグの内ポケットとして使用することができるとともに、図５に示すように、上記袋部１４を折り畳んで、上記保持片１６により上記折り畳み状態を保持している状態においては、バッグの外ポケットとして使用することができる。
【００４９】
図１に示すように、上記底面部１２は、上記側面部１１の下端において、上記各側面構成材１７ａ，１７ｂの幅方向に沿って設けられ、上記袋部１４内に収納物を収納した場合であっても、上記底面部１２により上記収納物を保持して使用することができる。
【００５０】
以下、添付図面に示す実施例に基づき、本考案に係るバッグ１０の作用について詳細に説明する。
【００５１】
本考案にかかるバッグ１０は、買い物等において携帯して使用される折り畳みバッグとして用いられ、折り畳み前においては、図１に示すように、上記バッグ１０は、上記側面部１１と底面部１２とにより構成された袋部１４に、収納物を収納しうるように形成された携帯用バッグとして使用することができる。
この場合、上記側面部１１の上端に形成された開口部１３を介して収納物の出し入れを行うことができる。
【００５２】
上記バッグ１０の携帯時においては、上記側面部１１の上端に設けられた逆Ｕ字型の取手１５ａ，１５ｂを把持することにより、上記バッグ１０を携帯することができる。
上記取手１５ａ，１５ｂに肩を入れることにより、上記バッグ１０をショルダーバッグとして使用することができる。
【００５３】
また、図１に示すように、上記バッグ１０の携帯時においては、上記保持片１６は、上記袋部１４の内方に設けられていることから、上記保持片１６に設けられているポケット部２２は、携帯電話や小銭入れなどの小物を収納するのに便宜な上記バッグ１０の内ポケットとして使用することができる。
【００５４】
折り畳み時においては、図２に示すように、上記保持片１６を上記袋部１４の外方に取出し、上記他の側面構成材１７ｂに形成されている取手１５ｂを上記保持片１６に設けられているスリット１９内に挿通させることにより、上記他の側面構成材１７ｂに形成されている取手１５ｂを、上記一の側面構成材１７ａに形成されている取手１５ａと同じ側へ移動して、上記双方の取手１５ａ，１５ｂを把持できるように配置することができる。
【００５５】
次に図３に示すように、上記側面構成材１７ａ，１７ｂを幅方向内方に折り畳むことにより、上記側面構成材１７ｂ上に配置し、上記折り畳まれた上記側面構成材１７ａ，１７ｂの幅寸法Ｗ３を上記保持片１６の幅寸法Ｗ４に合わせる。
上記幅方向に折り畳まれた上記側面構成材１７ａ，１７ｂを丸めて、高さ方向に折り畳み、図４に示すように、上記保持片１６により、上記高さ方向に折り畳まれた上記側面構成材１７ａ，１７ｂを内方に包み、上記保持片１６の他の側辺２０ｂにおいて、上記舌片２３を介して設けられている係合部２１ｂを、上記一の側辺２０ａに設けられている係合部２１ａに係合させることにより、図５に示すように、上記袋部全体を略円筒状に変形して保持することができる。
したがって、上記バッグの折り畳み後における形態の変化に趣向性を与え、需要者の購買意欲を惹起するバッグの提供を図ることができる。
【００５６】
また、図５に示すように、上記折り畳み状態においても、上記保持片１６に設けられているポケット部２２に、携帯電話等の小物を収納することができる外ポケットが形成されたバッグとして使用することができる。
【００５７】
また、図１に示すように、使用時における状態において、図２に示すように、上記側面構成材１７ｂに設けられている取手１５ｂを上記保持片１６に設けられているスリット１９に挿通させ、上記保持片１６を上記側面構成材１７ｂ上に配置することにより、上記スリット１９内に、上記各取手１５ａ，１５ｂをまとめることができ、その結果、上記各取手１５ａ，１５ｂが設けられている各側面構成材１７ａ，１７ｂ同士を上記袋部１４の厚さ方向に折り畳み、上記側面部１１の上端に形成されている開口部１３を閉止することができる（図示外）。
従って、上記袋部１４内に収納した収納物が外方へ飛び出すことを防止することができる。また、上記保持片１６に設けられているポケット部２２内に携帯電話等の小物を収納することができる外ポケットが形成されたバッグとして使用することができる。
【産業上の利用可能性】
【００５８】
取手を備え、折り畳み可能に形成された袋部を備えたバッグとして使用することができると共に、特に袋部を折り畳んだ状態を保持しうる保持片を有し、必要時にあっては、上記保持片により上記袋部の折り畳み状態を保持させることにより袋部を変形させることができ、かつ上記袋部を変形させた後においても、上記取手により、上記袋部を搬送することができるバッグに適用できるものである。
【図面の簡単な説明】
【００５９】
【図１】図１は、本発明に係るバッグの実施例を示し、使用時における状態を示す全体斜視図である。
【図２】図２は、本発明に係るバッグの実施例を示し、側面構成材同士を互いに折り重ねて、保持片を袋部から取出した状態を示す全体斜視図である。
【図３】図３は、本発明に係るバッグの実施例を示し、各側目構成材を幅方向内方に折り畳み、袋部を高さ方向に折り畳んでいる状態を示す平面図である。
【図４】図４は、本発明に係るバッグの実施例を示し、高さ方向に折り畳まれた袋部を保持片で保持している状態を示す全体斜視図である。
【図５】図５は、本発明に係るバッグの実施例を示し、図４に示す状態から、保持片に設けられた各係合部同士を係合させ、上記袋部の折り畳み状態を保持している状態を示す全体斜視図である。
【符号の説明】
【００６０】
１０    バッグ
１１    側面部
１２    底面部
１３    開口部
１４    袋部
１５ａ    取手
１５ｂ    取手
１６    保持片
１７ａ    側面構成材
１７ｂ    側面構成材
１８ａ    幅方向両端部（側面構成材）
１８ｂ    幅方向両端部（側面構成材）
１９    スリット
２０ａ    側辺（一の側辺）
２０ｂ    側辺（他の側辺）
２１ａ    係合部（一の側辺）
２１ｂ    係合部（他の側辺）
２２    ポケット部
２３    舌片
Ｗ１    幅寸法（スリット）
Ｗ２    幅寸法（取手）
Ｗ３    幅寸法（側面構成材）
Ｗ４    幅寸法（保持片）
【図１】
0003117304.tif 000003
【図２】
0003117304.tif 000004
【図３】
0003117304.tif 000005
【図４】
0003117304.tif 000006
【図５】
0003117304.tif 000007